(57)【特許請求の範囲】
【請求項１】
厚さ方向に傾斜を持って削るテーパ加工が施されたピアノ用響板であって、
上記テーパ加工が、複数方向から施されたことにより、表面が互いに交差する複数の平面によって構成されたことを特徴とするピアノ用響板。
【請求項２】
アップライト型ピアノに立てて使用される請求項１記載のピアノ用響板であって、
上方から下方に至るに従って薄くなるように施された第１のテーパ加工と、
高音部側の側端縁が薄くなるように施された第２のテーパ加工と、
が施されたことを特徴とするピアノ用響板。
【請求項３】
アップライト型ピアノに立てて使用される請求項１または２記載のピアノ用響板であって、
上方から下方に至るに従って薄くなるように施された第１のテーパ加工と、
低音部側の側端縁が薄くなるように施された第３のテーパ加工と、
が施されたことを特徴とするピアノ用響板。
【請求項４】
厚さ方向に傾斜を持って削るテーパ加工を、複数方向から施すことにより、響板表面を互いに交差する複数の平面によって構成することを特徴とするピアノ用響板の製造方法。
【請求項５】
アップライト型ピアノに立てて使用されるピアノ用響板の製造方法であって、
上方から下方に至るに従って薄くなるように削る第１のテーパ加工と、
高音部側の側端縁が薄くなるように削る第２のテーパ加工と、
を施すことにより、響板表面を互いに交差する複数の平面によって構成することを特徴とするピアノ用響板の製造方法。
【請求項６】
アップライト型ピアノに立てて使用されるピアノ用響板の製造方法であって、
上方から下方に至るに従って薄くなるように削る第１のテーパ加工と、
低音部側の側端縁が薄くなるように削る第３のテーパ加工と、
を施すことにより、響板表面を互いに交差する複数の平面によって構成することを特徴とするピアノ用響板の製造方法。
【発明の詳細な説明】
【０００１】
【発明の属する技術分野】
本発明は、ピアノに使用され、弦の振動を空気振動、すなわち音に変換するピアノ用響板に関する。
【０００２】
【従来の技術】
従来のピアノでは、鍵盤操作に応じて弦に発生した振動を、駒を介して響板に伝達して音を発生している。図３は、従来のアップライト型ピアノに使用されている響板１の周辺の構成を表す正面図である。図３に示すように、垂直に立てて使用される響板１の表面には、長駒３及び短駒５が固定され、その表面に多数の弦７が張設されている。また、弦７の上部には、ハンマ，アクション，鍵盤等から構成される打弦機構９が配設されている。このため、打弦機構９によって弦７を打弦すると、その弦７の振動は長駒３または短駒５を介して響板１に伝達され、音に変換される。なお、従来の響板１は、柾目の板を横矧ぎして、ほぼ一定の厚さに形成されていた。
【０００３】
【発明が解決しようとする課題】
ところが、高音部の音を発生する場合と、低音部の音を発生する場合とでは、適切な響板の厚さは異なることが知られている。そこで、響板１には、次のようなテーパ加工（響板１を厚さ方向に傾斜を持って削る加工）を施すことにより、音響効果を向上させることが考えられる。
【０００４】
すなわち、図４の正面図，平面図，及び左側面図に示すように、響板１を、上方が厚く、下方が薄くなるようにテーパ加工を施すのである。この場合、低音部の音（長駒３の図４における左端近傍や短駒５を介して響板１の下方に振動を伝達）を発生すると、響板１の振動は大きくなり、音色が軟らかくなる。また、長駒３の図４における右端近傍を介して響板１の上方に振動を伝達する高音部の音を発生した場合には、張りのある音色が得られる。
【０００５】
しかしながら、図４に示す響板１では、音が高くなれば高くなるほど、響板１のその音を最初に発生する部分の厚さは単調に厚くなる。このため、音色の変化が単調で、音響効果の向上には、更に改良の余地があった。
そこで、本発明は、極めて良好な音響効果の得られるピアノ用響板を提供することを目的としてなされた。
【０００６】
【課題を解決するための手段及び発明の効果】
上記目的を達するためになされた請求項１記載の発明は、厚さ方向に傾斜を持って削るテーパ加工が施されたピアノ用響板であって、
上記テーパ加工が、複数方向から施されたことにより、表面が互いに交差する複数の平面によって構成されたことを特徴としている。
【０００７】
このように、本発明のピアノ用響板には、複数方向からテーパ加工が施され、これによって、響板の表面が互いに交差する複数の平面によって構成されている。このため、音の高さと、響板のその音を最初に発生する部分の厚さとの関係は、単調なものではなく、比較的複雑なものとなる。従って、本発明のピアノ用響板を使用してピアノを構成すれば、特徴のある極めて良好な音響効果を得ることができる。
【０００８】
請求項２記載の発明は、アップライト型ピアノに立てて使用される請求項１記載のピアノ用響板であって、
上方から下方に至るに従って薄くなるように施された第１のテーパ加工と、
高音部側の側端縁が薄くなるように施された第２のテーパ加工と、
が施されたことを特徴としている。
【０００９】
このため、本発明のピアノ用響板は、第１のテーパ加工により、上方から下方に至るに従って薄く構成され、前述のように、低音部は音色が軟らかくなり、高音部は張りのある音色が得られる。また、本発明のピアノ用響板は、第２のテーパ加工により、高音部側の側端縁が薄くなるように構成されている。このため、高音部の音を発生するときもピアノ用響板の振動を大きくして、音量を大きくして華やかな音色を得ることができる。従って、本発明では、請求項１記載の発明の効果に加えて、高音部の音色を華やかにした一層特徴のある音響効果を得ることができるといった効果が生じる。
【００１０】
請求項３記載の発明は、アップライト型ピアノに立てて使用される請求項１または２記載のピアノ用響板であって、
上方から下方に至るに従って薄くなるように施された第１のテーパ加工と、
低音部側の側端縁が薄くなるように施された第３のテーパ加工と、
が施されたことを特徴としている。
【００１１】
このため、本発明のピアノ用響板でも、請求項２記載の発明と同様、第１のテーパ加工により、低音部は音色が軟らかくなり、高音部は張りのある音色が得られる。また、本発明のピアノ用響板は、第３のテーパ加工により、低音部側の側端縁が薄くなるように構成されている。このため、低音部の音を発生するときのピアノ用響板の振動を一層大きくし、発音をよくすると共に音量を大きくすることができる。従って、本発明では、請求項１または２記載の発明の効果に加えて、低音部の発音をよくした一層特徴のある音響効果を得ることができるといった効果が生じる。
【００１２】
請求項４記載の発明は、厚さ方向に傾斜を持って削るテーパ加工を、複数方向から施すことにより、響板表面を互いに交差する複数の平面によって構成することを特徴とするピアノ用響板の製造方法を、要旨としている。
本発明によってピアノ用響板を製造すれば、そのピアノ用響板には、複数方向からテーパ加工が施され、これによって、響板表面を互いに交差する複数の平面によって構成することができる。従って、本発明では、請求項１記載のピアノ用響板を容易に製造することができる。
【００１３】
請求項５記載の発明は、アップライト型ピアノに立てて使用されるピアノ用響板の製造方法であって、
上方から下方に至るに従って薄くなるように削る第１のテーパ加工と、
高音部側の側端縁が薄くなるように削る第２のテーパ加工と、
を施すことにより、響板表面を互いに交差する複数の平面によって構成することを特徴としている。
【００１４】
本発明によってピアノ用響板を製造すれば、そのピアノ用響板には、上方から下方に至るに従って薄くなるように削る第１のテーパ加工と、高音部側の側端縁が薄くなるように削る第２のテーパ加工とが施される。従って、本発明では、請求項２記載のピアノ用響板を容易に製造することができる。
【００１５】
請求項６記載の発明は、アップライト型ピアノに立てて使用されるピアノ用響板の製造方法であって、
上方から下方に至るに従って薄くなるように削る第１のテーパ加工と、
低音部側の側端縁が薄くなるように削る第３のテーパ加工と、
を施すことにより、響板表面を互いに交差する複数の平面によって構成することを特徴としている。
【００１６】
本発明によってピアノ用響板を製造すれば、そのピアノ用響板には、上方から下方に至るに従って薄くなるように削る第１のテーパ加工と、低音部側の側端縁が薄くなるように削る第３のテーパ加工とが施される。従って、本発明では、請求項３記載のピアノ用響板を容易に製造することができる。
【００１７】
【発明の実施の形態】
次に、本発明の実施の形態を図面と共に説明する。図１は、本発明が適用されたピアノ用響板としての響板１１の構成を表す正面図，平面図，及び左側面図である。なお、この響板１１もアップライト型ピアノに使用されるもので、響板１と同様に、表面に長駒３，短駒５等が配設される（図３参照）。
【００１８】
この響板１１では、上方が厚く下方が薄くなるように第１のテーパ加工が施されると共に、高音部側（図１の右側）の側端縁１１ａが薄くなるように第２のテーパ加工が施されている。なお、第１のテーパ加工は、「発明が解決しようとする課題」の項で説明したテーパ加工と同様のものである。また、図１には、第２のテーパ加工によって削られた部分をハッチングで示した。
【００１９】
このように構成された響板１１は、第１のテーパ加工により、上方から下方に至るに従って薄く構成され、前述のように、低音部は音色が軟らかくなり、高音部は張りのある音色が得られる。更に、響板１１は、第２のテーパ加工により高音部側の側端縁１１ａが薄くなるように構成されている。このため、高音部の音を発生するときも響板１１の振動を大きくし、音量を大きくして華やかな音色を得ることができる。従って、響板１１を使用したピアノでは、高音部の音色を華やかにした特徴のある音響効果を得ることができる。
【００２０】
図２は、本発明の他の実施の形態としての響板２１の構成を表す正面図，平面図，及び左側面図である。この響板２１もアップライト型ピアノに使用されるもので、響板１と同様に、表面に長駒３，短駒５等が配設される（図３参照）。
この響板２１では、響板１１と同様に、上方が厚く下方が薄くなるように第１のテーパ加工が施されると共に、高音部側（図２の右側）の側端縁２１ａが薄くなるように第２のテーパ加工が施され、更に、低音部側（図２の左側）の側端縁２１ｂが薄くなるように第３のテーパ加工が施されている。なお、図２には、第２のテーパ加工及び第３のテーパ加工によって削られた部分をハッチングで示した。
【００２１】
このため、響板２１では、上記第３のテーパ加工を施したことにより、響板１１と同様の効果に加えて次のような効果が生じる。すなわち、響板２１は、第３のテーパ加工により、低音部側の側端縁２１ｂが薄くなるように構成されている。このため、低音部の音を発生するときの響板２１の振動を一層大きくし、発音をよくすると共に音量を大きくすることができる。従って、響板２１を使用したピアノでは、低音部の発音をよくした一層特徴のある音響効果を得ることができる。
【００２２】
なお、本発明は上記実施の形態に何等限定されるものではなく、本発明の要旨を逸脱しない範囲で種々の形態で実施することができる。例えば、上記第２のテーパ加工は施さず、第３のテーパ加工のみを施してもよい。この場合、低音部は音色が軟らかくなり、高音部は張りのある音色が得られると共に、低音部の音を発生するときの響板の振動を大きくし、発音をよくして音量を大きくすることができる。また、テーパ加工の施し方は上記第１〜第３のテーパ加工に限定されるものではなく、要求される音色に応じて種々の方向から施すことができる。この場合も、その響板を使用してピアノを構成すれば、特徴のある極めて良好な音響効果を得ることができる。更に、本発明は、グランドピアノの響板にも適用することができる。
【図面の簡単な説明】
【図１】本発明を適用した響板の構成を表す正面図，平面図，及び左側面図である。
【図２】本発明を適用した他の響板を表す正面図，平面図，及び左側面図である。
【図３】従来のアップライト型ピアノ用響板の周辺の構成を表す正面図である。
【図４】その響板の構成を表す正面図，平面図，及び左側面図である。
【符号の説明】
１，１１，２１…響板        ３…長駒        ５…短駒        ７…弦
９…打弦機構        １１ａ，２１ａ，２１ｂ…側端縁
【図１】
0003595699.tif 000002
【図２】
0003595699.tif 000003
【図３】
0003595699.tif 000004
【図４】
0003595699.tif 000005